(57)【要約】      （修正有）【課題】バスボードを用いて介助者が被介助者を入浴させる際、バスボード全体を退避させることなく被介助者を容易に入浴させることができるバスボードを提供する。【解決手段】浴槽の開口部の一部に覆設されるバスボード１０において、バスボード１０は、板状の回動部材２０と、板状の支持部材３０とからなる。回動部材２０は、バスボード１０の中央部に位置し、支持部材３０は、回動部材２０の外周部に位置し、回動部材２０を枢軸３４を介して回動可能に支持するとともに、浴槽の上縁面に固定部材を介して固定する。【選択図】図１
0003186169.tif 000002
【実用新案登録請求の範囲】
【請求項１】
浴槽の開口部の一部に覆設されるバスボードにおいて、前記バスボードは、板状の回動部材と、板状の支持部材とからなり、前記回動部材は、前記バスボードの中央部に位置し、前記支持部材は、前記回動部材の外周部に位置し、前記回動部材を枢軸を介して回動可能に支持するとともに、前記浴槽の上縁面に固定部材を介して固定されることを特徴とする、バスボード。
【請求項２】
前記支持部材は、一端が開口する平面視略コ字形状であって、右側部と、左側部と、右側部と左側部とに連設する後側部とからなり、前記枢軸は、前記右側部と前記左側部との間であって、前記後側部近傍に設けたことを特徴とする、請求項１に記載のバスボード。
【請求項３】
前記バスボードを前記浴槽の前記開口部の一部に覆設した際に、前記支持部材の天面と前記回動部材の天面とが連続した滑らかな面を形成することを特徴とする、請求項１または２に記載のバスボード。
【請求項４】
前記固定部材は、前記支持部材の背面に設けられた突起部材であって、前記浴槽の内周面に当接可能であることを特徴とする、請求項１〜３のいずれかに記載のバスボード。
【請求項５】
一端が前記枢軸に回動自在に支持されるとともに、他端に板状の座部を回動自在に保持するアームを有し、前記座部の背面に脚部を有することを特徴とする、請求項１〜４のいずれかに記載のバスボード。
【考案の詳細な説明】
【技術分野】
【０００１】
本考案は、浴槽の開口部の一部に覆設されるバスボードに関する。
【背景技術】
【０００２】
従来のバスボードは、バスボード本体の一側部に軸部を形成するとともに、浴槽外周縁部の上面に固定され得る保持具に軸部が抱持される軸受部を形成したことで、バスボード本体を退避させ易くしているもの（例えば、特許文献１）がある。
【先行技術文献】
【特許文献】
【０００３】
【特許文献１】特開２００３−２４４０９号公報
【考案の概要】
【考案が解決しようとする課題】
【０００４】
しかし、上記のようなバスボードでは、介助者が被介助者を浴槽に入浴させる際、バスボード本体の全てを退避させる必要があり、介助者に負担のかかるものであった。そこでこの考案は、バスボードを用いて介助者が被介助者を入浴させる際、介助者による被介助者の入浴作業が容易となるバスボードを提供することにある。
【課題を解決するための手段】
【０００５】
このため請求項１に記載の考案は、浴槽の開口部の一部に覆設されるバスボードにおいて、前記バスボードは、板状の回動部材と、板状の支持部材とからなり、前記回動部材は、前記バスボードの中央部に位置し、前記支持部材は、前記回動部材の外周部に位置し、前記回動部材を枢軸を介して回動可能に支持するとともに、前記浴槽の上縁面に固定部材を介して固定されることを特徴とする。
【０００６】
請求項２に記載の考案は、請求項１に記載のバスボードにおいて、前記支持部材は、一端が開口する平面視略コ字形状であって、右側部と、左側部と、右側部と左側部とに連設する後側部とからなり、前記枢軸は、前記右側部と前記左側部との間であって、前記後側部近傍に設けたことを特徴とする。
【０００７】
請求項３に記載の考案は、請求項１または２に記載のバスボードにおいて、前記バスボードを前記浴槽の前記開口部の一部に覆設した際に、前記支持部材の天面と前記回動部材の天面とが連続した滑らかな面を形成することを特徴とする。
【０００８】
請求項４に記載の考案は、請求項１〜３のいずれかに記載のバスボードにおいて、前記固定部材は、前記支持部材の底面に設けられた突起部材であって、前記浴槽の内周面に当接可能であることを特徴とする。
【０００９】
請求項５に記載の考案は、請求項１〜４のいずれかに記載のバスボードにおいて、一端が前記枢軸に回動自在に支持されるとともに、他端に板状の座部を回動自在に保持するアームを有し、前記座部の背面に脚部を有することを特徴とする。
【考案の効果】
【００１０】
請求項１に記載の考案によれば、浴槽の開口部の一部に覆設されるバスボードにおいて、前記バスボードは、板状の回動部材と、板状の支持部材とからなり、前記回動部材は、前記バスボードの中央部に位置し、前記支持部材は、前記回動部材の外周部に位置し、前記回動部材を枢軸を介して回動可能に支持するとともに、前記浴槽の上縁面に固定部材を介して固定されるので、バスボードを用いて介助者が被介助者を入浴させる際、バスボード全体ではなく、回動部材のみを退避させることでバスボードによって覆われていた浴槽の開口部の一部が開放されるので、介助者による被介助者の入浴作業が容易となる。
【００１１】
請求項２に記載の考案によれば、前記支持部材は、一端が開口する平面視略コ字形状であって、右側部と、左側部と、右側部と左側部とに連設する後側部とからなり、前記枢軸は、前記右側部と前記左側部との間であって、前記後側部近傍に設けたことを特徴とするので、バスボードを用いて介助者が被介助者を入浴させる際、バスボード全体ではなく、回動部材のみを退避させることでバスボードによって覆われていた浴槽の開口部の一部が開放されるので、介助者による被介助者の入浴作業が容易となる。
【００１２】
請求項３に記載の考案によれば、前記バスボードを前記浴槽の前記開口部の一部に覆設した際に、前記支持部材の天面と前記回動部材の天面とが連続した滑らかな面を形成するので、バスボードに被介助者が着座する際、支持部材の天面と回動部材の天面とを着座面とすることができるので、広い着座面を確保でき、安定して着座することができる。
【００１３】
請求項４に記載の考案によれば、前記固定部材は、前記支持部材の底面に設けられた突起部材であって、前記浴槽の内周面に当接可能であるので、広い着座面を確保できる。また、前記固定部材を前記浴槽の内周面に当接することによりバスボードの水平方向への移動を拘束できるため、浴槽への着脱が容易である。
【００１４】
請求項５に記載の考案によれば、一端が前記枢軸に回動自在に支持されるとともに、他端に板状の座部を回動自在に保持するアームを有し、前記座部の背面に脚部を有するので、被介助者は深い浴槽においても入浴する際に座部へ着座しながら入浴することができる。また、段階的に浴槽へ入ることもできるため、被介助者の浴槽への出入りがより容易となる。
【図面の簡単な説明】
【００１５】
【図１】この考案の一例としてのバスボードの平面図である。
【図２】その底面図である。
【図３】バスボードを浴槽に取り付けた状態の斜視図である。
【図４】支持部材を浴槽へ固定する固定部材を説明する図である。
【図５】バスボードを浴槽に取り付けた状態の側面図である。
【図６】図３のバスボードで回動部材が回動した状態の斜視図である。
【図７】座部を設けたバスボードの一例を示す側面図である。
【図８】座部を設けたバスボードで回動部材が回動した状態の斜視図である。
【考案を実施するための形態】
【００１６】
以下、図面を参照しつつ、この考案の実施の形態について詳述する。図１にはこの考案の一例としてのバスボードの平面図を、図２にはその底面図を示す。バスボード１０は、平面視において略矩形状をなしており、板状の回動部材２０と板状の支持部材３０とから構成されている。回動部材２０は、バスボード１０の中央部に位置しており、平面視において略逆Ｔ字形状であり、基部２１と、基部２１の左右幅方向の中央部に連設する突出部２２とからなる。支持部材３０は、回動部材２０の外周部に位置しており、平面視において一端が開口する略コ字形状であり、右側部３１と、左側部３２と、右側部３１と左側部３２とに連設する後側部３３とからなる。つまり、支持部材３０の右側部３１と左側部３２との間に、回動部材２０の突起部２２が嵌合することで、略矩形状のバスボード１０が構成されている。また、バスボード１０の天面は、回動部材２０の天面と支持部材３０の天面とから構成され、回動部材２０の天面と支持部材３０の天面とが連続した滑らかな面を形成している。
【００１７】
支持部材３０は、右側部３１と左側部３２との間であって後側部３３の近傍に円柱状の枢軸３４を備える。回動部材２０の突出部２２の先端部に断面略Ｃ字状の軸受部２３が設けられている。軸受部２３は枢軸３４に嵌合されており、回動部材２０は枢軸３４を中心として回動可能である。つまり、支持部材３０は、回動部材２０を枢軸３４を介して回動可能に支持している。なお、回動部材２０を支持する構成は上記に限定されず、支持部材３０が回動部材２０を回動可能に支持できれば、任意に設計することができる。例えば、軸受部２３は貫通穴からなる構成であってもよい。また、回動部材２０に枢軸を設け、支持部材３０にこの枢軸を軸支する軸受部を設ける構成であってもよい。また、枢軸による支持ではなく、ボールジョイントなどによる回動可能な支持としてもよい。
【００１８】
回動部材２０および支持部材３０の材質はプラスチックであるが、プラスチックに限定されるものではなく、後述するように、被介助者が回動部材２０および支持部材３０の天面に着座することが可能な強度があればよく、例えば、木製であってもよい。また、回動部材２０および支持部材３０の強度を上げるために、それぞれの背面や内部などに金属製の補強部材を設けた構成としてもよい。
【００１９】
支持部材３０の右側部３１、左側部３２には、バスボード１０の長手方向に直交する方向に間隔を隔てて各１対の円形支持孔３０ａ、３０ａが形成されており、バスボード１０の使用状態において、洗い場４８から遠い側に位置する１対の円形支持孔３０ａ、３０ａにコの字型の把手３８の基部を固定して被介助者が必要に応じて把持する把手３８が固定されるようになっている。このように洗い場４８から遠い側に前記把手３８を支持するようにしたのは、被介助者がバスボード１０を使用する際に把手３８が邪魔にならないようにするためである。なお、把手３８の形状はコの字型に限定されるものではなく、被介助者が把持しやすい形状であればよく、例えば、円形であってもよい。なお、把手３８の固定方法は、円形支持孔３０ａ、３０ａに把手３８の両端部を嵌合し、支持部材３０の背面側から円形支持孔３０ａ、３０ａ夫々に貫通した把手３８の両端部に固定ネジ３９を取り付けることにより固定する。
【００２０】
図３には、バスボード１０の浴槽４０への取り付け状態を示す。浴槽４０は、平面視において略矩形状であり、底面４１、内側面４２、外側面４３、上縁面４４で構成される天面が開放した箱形状である。バスボード１０は、浴槽４０の上縁面４４に載置される。より詳細には、浴槽４０の上縁面右側部４４ａと支持部材３０の右側部３１の背面とが当接し、浴槽４０の上縁面左側部４４ｂと支持部材３０の左側部３２の背面とが当接し、浴槽４０の上縁面後側部４４ｃと支持部材３０の後側部３３の背面とが当接することで、バスボード１０が浴槽４０の上縁面４４に載置される。回動部材２０は、浴槽４０の開口部４７の一部を覆っている。回動部材２０の基部２１の両端部の背面は、浴槽４０の上縁面右側部４４ａと上縁面左側部４４ｂの上縁面にそれぞれ当接している。なお、バスボード１０の載置の状態は上記に限定されず、回動部材２０が浴槽４０の開口部４７の一部を覆うとともに、支持部材３０の右側部３１と左側部３２と後側部３３が浴槽４０の上縁面４４に沿うように載置されればよい。
【００２１】
図４には、支持部材３０の右側部３１および左側部３２の背面に設けられる、左右幅方向に摺動可能な突起部材３５について示す。図２に示すように突起部材３５は左右幅方向に摺動可能であり、突起部材３５を浴槽の相互に対向する内周縁に当接させることにより、バスボード１０の水平方向への移動を拘束させることができる。突起部材３５は図４における想像線に示すように、固定レバー３７を上方に回動させることで当接部３５ｂが支持部材３０の背面に当接され固定される。反対に突起部材３５の固定を解除する場合には固定レバー３７を下方に回動させる。また、浴槽内側面との当接部３５ａ、バスボード１０との当接部３５ｂは凹凸形状をしたゴムで形成し、浴槽内側面、バスボード裏面夫々に対し摩擦抵抗を大きくすることでより強固にバスボード１０の水平方向への移動を拘束させることができる。なお、突起部材３５の形状は棒状に限定されず、バスボード１０の水平方向への移動を拘束できればよく、例えば板状であってもよい。
【００２２】
図５には、突起部材３５を浴槽４０の内側面４２に当接させ固定した状態を示す。突起部材３５を浴槽４０の内側面４２に当接させることにより、支持部材３０を浴槽４０に固定する。より詳細には、支持部材３０の右側部３１の背面に設けられた突起部材３５ａを浴槽４０の内面右側部４２ａに当接させる。次に、突起部材３５ａの固定レバー３７を回動することにより、突起部材３５ａが支持部材３０の右側部３１の背面に押しつけられ、突起部材３５ａが動かないよう固定する。支持部材３０の左側部３２の背面に設けられた突起部材３５ｂも同様に浴槽４０の内面左側部４２ｂに当接させ、固定する。そして、それぞれの当接面の摩擦抵抗によって支持部材３０を浴槽４０に固定する。支持部材３０を浴槽４０に固定することで、バスボード１０が浴槽４０に取り付けられる。上述のような構成であれば、バスボード１０の浴槽４０への取り付け及び取り外しが容易である。また、バスボード１０を浴槽４０へ強固に取り付けることが可能である。なお、支持部材３０を浴槽４０に固定できればよく、その固定は上記の構成に限定されず、例えば、支持部材３０の背面と浴槽４０の上縁面４４との接触面に両面接着テープを設け、この両面接着テープを介して固定してもよい。この場合、両面接着テープに限らず吸盤やボルト、接着剤等を用いて固定してもよい。突起部材３５においても同様に、上記の構成に限定されず、例えば手回しのネジ等により支持部材３０の背面に固定してもよい。ただし、両面接着テープや接着剤等を用いた固定の場合は、浴槽４０を傷つけたりすることがあるため、上述の突起部材３５を用いた固定の方が好ましい。
【実施例】
【００２３】
次に、図１〜６を参照しつつ、バスボード１０を用いて介助者が被介助者を入浴させる方法について説明する。図３に示すように、バスボード１０が浴槽４０の上縁面４４に固定された状態において、介助者は被介助者を抱きかかえ、被介助者をバスボード１０の天面に着座させ、被介助者の足を浴槽４０内に入れる。この時、バスボード１０の天面は、回動部材２０の天面と支持部材３０の天面とから構成されるとともに、連続した滑らかな面を形成しているので、被介助者が着座する着座面を広く確保することができ、安定して着座することができる。また、バスボード１０を下方向に支える部位は、浴槽４０の上縁面右側４４ａ、左側４４ｂ、後側４４ｃの３面であり、広い支持面となるのでバスボード１０を強固に支えることができる。また、バスボード１０を浴槽４０に固定させる突起部材３５は、支持部材３０の背面に設けられているため、被介助者がバスボード１０に着座する際の妨げとならず、スムーズに着座することができる。
【００２４】
次に、介助者は被介助者を支えつつ、被介助者は把手部３８を握り座位を安定させながらバスボード１０の中央部に移動し、浴槽４０の底面４１に着地する。さらに、介助者は被介助者を支えつつ、または図示しない浴室手すり等を使用する等して、被介助者が安定した状態で立ち上がり、その間に介助者は回動部材２０を枢軸３４を中心として上方に回動させ、浴槽４０の開口部４７から回動部材２０を退避させる。図６に示すように、浴槽４０の開口部４７の一部を覆っていた回動部材２０を回動させて退避することにより、開口部４７のほぼ全面が開放された状態となり、被介助者を浴槽４０内に入浴させることが可能となる。ここで、バスボード１０の全体ではなく回動部材２０のみを回動させることで、開口部４７のほぼ全面を開放することができるため、開口部４７の開放作業が容易となる。
【００２５】
次に、介助者が被介助者を浴槽から出す際には、介助者は被介助者を支えつつ、または図示しない浴室手すり等を使用して、被介助者が安定した状態で立ち上がり、回動部材２０を枢軸３４を中心として前述とは逆方向に回動させ、回動部材２０を浴槽４０の上縁面４４に載置させる。バスボード１０は、図３に示す状態となり、介助者は、被介助者をバスボード１０の天面に着座させ、被介助者の足を浴槽４０の外に出した後、被介助者をバスボード１０から移動させる。
【００２６】
ここで、上述の被介助者を浴槽４０内に入れる時と同様に、バスボード１０の天面は、回動部材２０の天面と支持部材３０の天面とから構成されるとともに、連続した滑らかな面を形成しているので、被介助者が着座する着座面を広く確保することができ、安定して着座することができる。また、バスボード１０を下方向に支える部位は、浴槽４０上縁面右側４４ａ、左側４４ｂ、後側４４ｃの３面であり、広い支持面となるのでバスボード１０を強固に支えることができる。また、バスボード１０を浴槽４０に固定させる突起部材３５は、支持部材３０の背面に設けられているため、被介助者がバスボード１０に着座する際の妨げとならず、スムーズに着座することができる。また、バスボード１０の全体ではなく回動部材２０のみを回動させることで、開口部４７の一部を覆うことができるため、開口部４７の一部に着座面を設ける（開口部４７の一部を覆う）作業が容易となる。さらに、回動部材２０を浴槽４０から退避させたり、浴槽４０の開口部４７の一部を覆う際に、その都度バスボード１０を浴槽４０に固定する作業は不要であり、介助者による被介助者の入浴作業が容易となる。
【００２７】
また、バスボード１０が座部を有する構成であってもよい。例えば、図７に示すように、一端が保持部材３０の枢軸３４に回動自在に支持されるアーム５１を設ける。アーム５１の他端には板状の座部５０が上下方向に回動自在に保持されている。アーム両端の嵌合部は断面Ｃ字形状のプラスチック部材により構成され、バスボード１０の枢軸３４、座部５０に設けられた嵌合部５３の夫々に対し着脱自在である。座部５０の背面に設けられた嵌合部には、４本の棒状体の脚部５２が差し込み取り付けられている。脚部５２は、座部５０に対して垂直な位置で固定されるストッパーを有する。このような構成にすることで、被介助者は入浴する際に座部５０へ着座しながら入浴することができ、深い浴槽においても安定して入浴できる。また、被介助者が段階的に浴槽への着座を行う事ができるため、浴槽への出入りがより容易となる。
【符号の説明】
【００２８】
１０  バスボード
２０  回動部材
３０  支持部材
３１  支持部材右側部
３２  支持部材左側部
３３  支持部材後側部
３４  枢軸
３５  固定具
３８  把手部
４０  浴槽
４４  上縁面
４７  開口部
５０  座部
５１  アーム
５２  脚部
【図１】
0003186169.tif 000003
【図２】
0003186169.tif 000004
【図３】
0003186169.tif 000005
【図４】
0003186169.tif 000006
【図５】
0003186169.tif 000007
【図６】
0003186169.tif 000008
【図７】
0003186169.tif 000009
【図８】
0003186169.tif 000010